(57)【要約】【課題】  地球温暖化を含む大気汚染を引き起こす火力発電や放射能汚染の危険を伴う原子力発電に変わる、無公害の地球環境を重視した、気象条件や立地条件にも左右されず、安価で簡単に設置できる動力発生装置を提供する。【解決手段】  本発明の磁力原動機は磁力のエネルギーと磁極の特性、同極反発作用を利用して、移動磁石を磁波遮断体の開閉操作により、固定磁石間を往復直線運動させ、この往復直線運動を回転運動に変換して動力を得る動力発生装置である。本発明の磁力原動機は磁力をエネルギー源としているので、安定的長期利用が可能で、資源枯渇の問題も解消される。【選択図】図１
2013085432.tif 000002
【特許請求の範囲】
【請求項１】
円柱形の可動軸と、該可動軸に動力伝達具を介して直線的に一体連結された円筒形の回転軸とから構成される磁力原動機において、該可動軸には該回転軸の反対側から該回転軸に向かって固定磁石、磁波遮断体、移動磁石及び磁波遮断体の順に配置され、該各磁波遮断体は該各固定磁石の側近に配置され各々開閉可能構造で、該回転軸には両端に固定磁石が配置され、該移動磁石が該可動軸側の固定磁石と該回転軸側の固定磁石間を該各固定磁石の側近に配置される該各磁波遮断体の開閉操作で磁極の同極反発を利用した往復直線運動し、該往復直線運動で得られたエネルギーを該回転軸で回転運動に変換して動力を得ることを特徴とする磁力原動機。
【請求項２】
前記可動軸が、直線往復運動を回転運動に変換するために、自らの回転を阻止する回転阻止溝構造を有し、該可動軸側の固定磁石取り付け台からの回転阻止具の設置により前記可動軸の回転を阻止されていることを特徴とする請求項１記載の磁力原動機。
【請求項３】
前記回転軸が、前記可動軸の直線往復運動の動力を回転運動に変換するために、該可動軸の該回転軸側の端に設置された動力伝達具を介して一体連結された回転往復溝構造で直線往復運動を回転運動に変換することを特徴とする請求項１または請求項２記載の磁力原動機。
【請求項４】
前記回転往復溝が前記可動軸に設置されて、動力を得ることを特徴とする請求項１または請求項２または請求項３記載の磁力原動機。
【請求項５】
前記磁波遮断体が、磁力の同極反発と異極吸引を消しあうようにＮ極とＳ極が混在した板状集合体で開閉可能構造であり、開時には磁波を遮断せず同極反発し前記移動磁石が前記各固定磁石間の移動を可能とすることを特徴とする請求項１または請求項２または請求項３または請求項４記載の磁力原動機。
【請求項６】
前記磁波遮断体が、前記移動磁石の往復直線運動から得られた動力を利用して、該磁波遮断体の開閉を可能とすることを特徴とする請求項１または請求項２または請求項３または請求項４または請求項５記載の磁力原動機。
【請求項７】
前記移動磁石が、前記各固定磁石間中央の５０〜９５％部分を移動する構造であることを特徴とする請求項１または請求項２または請求項３または請求項４または請求項５または請求項６記載の磁力原動機。
【請求項８】
前記可動軸と前記回転軸とから構成される磁力原動機において、該可動軸と該可動軸に一体連結された回転軸の組み合わせが２以上の複数から構成され、より強力な動力を得ることが可能な請求項１または請求項２または請求項３または請求項４または請求項５または請求項６または請求項７記載の磁力原動機。
【発明の詳細な説明】
【技術分野】
【０００１】  本発明は、磁石の特性、磁石の同極反発を利用した往復直線運動を回転運動に変換して動力を発生する磁力原動機に関する。
【背景技術】
【０００２】  従来の動力は、主に火力発電や原子力発電から得られていて、火力発電による二酸化炭素等の排出による大気汚染や核廃棄物による放射能汚染などの地球環境悪化などが懸念されている。そこで、従来の水力発電に加えて、地球環境にやさしいとされる風力発電や太陽光発電のような自然エネルギーを利用した動力発生方法の開発が嘱望されている。【０００３】  これらの課題を解決するために、水力発電や風力発電や太陽光発電などの自然エネルギーを利用した動力発生方法の提案が数多く提案されているが、いずれも雨の降り具合や風の吹き具合や日照時間の長さなどの気象条件に左右されるので、必要不可欠量を持続して安定的に得るには課題が残されている。【０００４】  さらに、水力発電や風力発電や原子力発電などは適切な立地条件が求められ、巨額の建設費用をも要し、この点でも課題が残されている。そこで、気象条件、立地条件などに左右されず巨額の建設費用を要しないエネルギー源として磁力を検討した。【０００５】  磁力を利用する方法としては、水力発電や風力発電や太陽光発電と併用してシステム化して動力を得る方法（例えば特許文献１参照）が提案されているが、磁力のみですべての動力を得ることは達成できていない。【０００６】  さらに、磁力のみで動力を得られる方法としては、Ｎ極とＳ極が吸着する前に絶縁遮断板を差し込み磁石の吸引・反発と圧縮コイルバネの反発を利用させて動力を得る方法（例えば特許文献２参照）も提案されているが、磁力の異極吸引で吸着されてしまうと引き離すことは非常に困難となり、次の連続操作の絶縁遮断板の差し込みや反発操作へ進むことはたいへん困難であり課題は残されたままである。
【先行技術文献】
【特許文献】
【０００７】
【特許文献１】  特開２００８−２７１７０４  公報
【特許文献２】  特開２００９−５５７１  公報
【発明の概要】
【発明が解決しようとする課題】
【０００８】  地球温暖化を含む大気汚染を引き起こす火力発電や、放射能汚染の危険を伴う原子力発電に変わる、無公害で地球環境を重視した、気象条件や立地条件にも左右されず、安価で簡単に設置できる動力発生装置を提供することである。
【課題を解決するための手段】
【０００９】  本発明の磁力原動機は、磁力をエネルギーとした動力発生装置であり、さらに、詳しくは磁力の持つ特性、磁力の同極反発を利用した動力発生装置である。【００１０】  円柱形の可動軸と該可動軸に動力伝達具を介して直線的に一体連結された円筒形の回転軸とから構成される磁力原動機において、該可動軸には該回転軸の反対側から該回転軸に向かって固定磁石、磁波遮断体、移動磁石、磁波遮断体、該回転軸側の固定磁石の順に配置され、該磁波遮断体は該各固定磁石の側近に配置され各々開閉可能構造で、該回転軸には両端に固定磁石が配置され、該移動磁石が該可動軸側の固定磁石と該回転軸側の固定磁石間を該各固定磁石の側近に配置された該各磁波遮断体の開閉操作により、磁極の同極反発を利用した往復直線運動する構造とし、この往復直線運動を該回転軸の回転往復溝により回転運動に変換して動力を得る。
【発明の効果】
【００１１】  本発明の磁力原動機は、磁石をエネルギー源としているので、長期的に有効利用することが可能であり、資源枯渇の問題は解消され、本発明の課題である無公害で地球環境を重視した、気象条件や立地条件にも左右されず安価で簡単に設置できる動力発生装置を得ることができた。【００１２】  本発明の磁力原動機は、危険性がなく立地条件にも左右されないので、設置場所は山間地区に限られず町中に設置しても問題はなく、中継や送電線設備もコンパクト化でき、メンテナンスも容易で停電時等の対応も容易になる。【００１３】  本発明の磁力原動機の開発により、火力発電での化石燃料等の天然資源の燃焼消失時の二酸化炭素等の排出による大気汚染や原子力発電での核燃料使用時の放射性物質や放射能による環境汚染等の問題は減少可能となる。
【図面の簡単な説明】
【００１４】
【図１】  本発明の磁力原動機の全体正面図
【図２】  本発明の回転軸の正面図と側面図
【図３】  本発明の移動磁石が可動軸側に接近した時の正面図
【図４】  本発明の可動軸の詳細正面図
【図５】  本発明の磁波遮断体の閉時側面図
【図６】  本発明の磁波遮断体の開時側面図
【発明を実施するための形態】
【００１５】  円柱形の可動軸と該可動軸に動力伝達具を介して直線的に一体連結した円筒形の回転軸とから構成される磁力原動機において、該可動軸には該回転軸の反対側から、該回転軸に向かって固定磁石、磁波遮断体、移動磁石、磁波遮断体、該回転軸側の固定磁石の順に配置され、該各磁波遮断体は該各固定磁石の側近に配置され各々開閉可能構造で、該回転軸には両端に固定磁石が配置され、該移動磁石が該可動軸側の固定磁石と該回転軸側の固定磁石間を該各固定磁石側近に配置される該各磁波遮断体の開閉操作により、磁極の同極反発を利用した往復直線運動をする構造とし、この往復直線運動を該回転軸の回転往復溝により回転運動に変換して動力を得る。
【実施例】
【００１６】  本発明の磁力原動機を図１、図２、図３、図４、図５及び図６を用いて説明する。図１は本発明の磁力原動機の全体正面図を示し、図２は本発明の回転軸の正面図と側面図を示し、図３は本発明の移動磁石が可動軸側に接近した時の正面図を示し、図４は本発明の可動軸の正面詳細図を示し、図５は本発明の磁波遮断体の閉時側面図を示し、図６は本発明の磁波遮断体の開時側面図を示す。【００１７】  本発明の磁力原動機においては、固定磁石３、固定磁石４、移動磁石５、磁波遮断体６及び磁波遮断体７は強力な永久磁石を使用し、それ以外は非磁性体を使用する。【００１８】  可動軸１に磁波遮断体６側がＮ極となるように固定磁石３を配置し、磁波遮断体６を開にし、磁波遮断体６側がＮ極となるように移動磁石５を配置し固定磁石３に接近させてＮ極同士の同極反発を利用して、移動磁石５を固定磁石４の方へ移動さす。【００１９】  次いで、磁波遮断体７側がＳ極となるように固定磁石４を配置し、移動磁石５が固定磁石４に接近する直前に磁波遮断体７を開にし、移動磁石５が固定磁石４に接近するとＳ極同士の同極反発を利用して、移動磁石５を固定磁石３の方へ移動さす。【００２０】  この操作を繰り返すことにより、移動磁石５は固定磁石３と固定磁石４間の往復直線運動を繰り返し行うことが可能となる。【００２１】  この往復直線運動を、可動軸１の回転軸２側の端に配置した動力伝達具８を介して、回転軸２に伝達し、回転軸２に配置された回転往復溝９により回転運動に変換さして動力を得る。【００２２】  移動磁石５の固定磁石３と固定磁石４間の移動範囲については、移動範囲が中心部５０％以下では往復直線運動距離が短くて得られる動力が十分ではなく、９５％以上では磁波遮断体６、７の配置が困難であり、効果及び操作性を考慮すれば移動範囲は中心部５０〜９５％が効果的であるといえる。【００２３】  この実施例では固定磁石３の磁波遮断体６側をＮ極としたが、Ｓ極としても、固定磁石４、移動磁石５の極をＮＳ逆にすればなんら問題なく、本発明の実施は可能である。【００２４】  また、この実施例では、往復直線運動を回転運動に変換して動力を得ているが、じょうげ運動や振動運動やピストン運動やクランク運動等に変換して動力を得ることは可能である。【００２５】さらに、本発明の磁力原動機においては、使用する磁石の能力により得られる動力量を調整することも可能で、可動軸１と回転軸２との組み合わせが２以上の複数から構成されても、組み合わせ数に応じた倍数の動力を得ることも可能である。
【産業上の利用可能性】
【００２６】  本発明の磁力原動機は、無公害で地球環境を重視した、気象条件や立地条件にも左右されず、安価で簡単に設置できる動力発生装置であるので、現在全世界で取り組まれているエコエネルギー活用分野の動力源として貢献できるものである。【００２７】  例えば、電気自動車の発電機への利用や先端ＩＴ産業、家庭用及び産業機械等へのクリーン電源としての利用が可能となる。
【符号の説明】
【００２８】  １  可動軸
２  回転軸
３  可動軸の可動軸側に配置された固定磁石
４  可動軸の回転軸側に配置された固定磁石
５  可動軸に配置された移動磁石
６  可動軸の可動軸側に配置された磁波遮断体
７  可動軸の回転軸側に配置された磁波遮断体
８  可動軸の可動軸側に配置された固定磁石の取り付け台
９  可動軸の回転軸側端に配置された動力伝達具
１０  回転軸に配置された回転往復溝
１１  回転軸の回転往復溝に連結させた回転歯車
１２  可動軸の可動軸側端に配置された回転阻止溝
１３  可動軸の回転阻止溝に配置された回転阻止具
【図１】
2013085432.tif 000003
【図２】
2013085432.tif 000004
【図３】
2013085432.tif 000005
【図４】
2013085432.tif 000006
【図５】
2013085432.tif 000007
【図６】
2013085432.tif 000008